(57)【要約】【課題】  通信や情報通知が発生した場合に、視聴者が希望する場合に限り放送内容を蓄積することが可能な放送通信複合端末の提供。【解決手段】  第１の制御手段６は着信通知１０１を受け取ると、選択情報格納手段１１を参照して、現在受信中の放送内容１００の蓄積を希望するか否かを調べ、「蓄積する」との情報が格納されていれば放送再生手段２に対して放送内容の再生停止要求１０２を送り、放送蓄積手段７に対しては蓄積開始要求１０３を送る。放送蓄積手段７はその放送内容１００の蓄積を開始する。【選択図】      図１
2008086025.tif 000002
【特許請求の範囲】
【請求項１】
放送受信手段および単方向あるいは双方向の通信手段を含む放送通信複合端末であって、
前記放送受信手段が受信した放送内容を蓄積するか否かの選択情報が格納される選択情報格納手段と、前記通信手段から通信または情報通知が発生したとの通知を受けた場合、前記選択情報格納手段に格納された選択情報にしたがって蓄積開始位置を保存させる第１の制御手段を含むことを特徴とする放送通信複合端末。
【請求項２】
外部のネットワーク上に前記放送内容を常時蓄積する放送蓄積手段が設けられ、内部に前記放送蓄積手段への蓄積開始位置を保存する蓄積開始位置保存手段を含み、前記第１の制御手段は前記通信手段から通信または情報通知が発生したとの通知を受けた場合、前記選択情報格納手段に格納された選択情報にしたがって前記蓄積開始位置保存手段に蓄積開始位置を保存することを特徴とする請求項１記載の放送通信複合端末。
【請求項３】
前記通信手段から通信または情報通知が終了したとの通知を受けた場合、前記放送蓄積手段に蓄積した蓄積内容を、前記蓄積開始位置保存手段に保存された蓄積開始位置から出力させる第２の制御手段を含むことを特徴とする請求項２記載の放送通信複合端末。
【請求項４】
前記第１の制御手段は前記選択情報格納手段に格納された有無情報が「蓄積する」である場合に、前記蓄積開始位置保存手段に前記蓄積開始位置を保存させることを特徴とする請求項２または３記載の放送通信複合端末。
【請求項５】
少なくとも前記放送受信手段および前記通信手段はそれぞれ独立した装置で構成され、これらが相互の通信により連携するよう構成されることを特徴とする請求項１から４いずれかに記載の放送通信複合端末。
【発明の詳細な説明】
【技術分野】
【０００１】
本発明は放送通信複合端末に関し、特に放送内容を蓄積する機能を有する放送通信複合端末に関する。
【背景技術】
【０００２】
従来の放送通信複合端末の一例として、電話機能に加えてＷＥＢブラウジング機能を複合させた、いわゆるブラウザフォンが存在する。このブラウザフォンでＷＥＢサイトを閲覧中に、電話の着信を受けた場合、一旦ＷＥＢブラウザを終了し、通話を行っても、通話が完了したのち再びＷＥＢブラウザを起動すれば、前回閲覧を中断した情報を再び開くことができる。
【０００３】
ＷＥＢサイトの閲覧では、情報の配信をオンデマンド（on demand ）で行うので、このように何らかの都合で閲覧を中止しても好きなときに続きから閲覧を再開することができる。
【０００４】
一方、テレビジョン等の放送においては、一つの放送内容は放送局から一斉に多数の視聴者へと配信される。つまり、特定の視聴者や各受信装置側の都合により配信を停止したり、任意の箇所から配信を再開させることはできない。
【０００５】
しかし、放送内容を蓄積しておけば、用件終了後に蓄積しておいた放送内容を読み出して再生することができる。近年ではテレビジョン番組を蓄積しながら再生を行う、いわゆる追いかけ再生機能を備えたテレビジョン蓄積再生機能が製品化されている。
【０００６】
たとえば電話が掛かってきた場合、電話を取る前にこのテレビジョン蓄積再生機器を起動し、その後電話を取れば、電話が終わったときにこのテレビジョン蓄積再生機器で追いかけ再生操作を行うことにより、蓄積を続けつつ蓄積を始めた箇所から再生することが可能となる。
【０００７】
一方、この種の従来技術の他の一例として、電話機能とは独立した蓄積再生機器で、電話の着信を検出して自動的に蓄積を開始する技術が開示されている（特許文献1 参照）。これは、蓄積再生機能つきテレビジョンに電話モデムを備えさせることにより、電話回線の使用状態を定期的に監視し、外部にある電話機の使用が開始したことを推定して蓄積を開始するものである。
【０００８】
さらに、この種の従来技術の他の例として、着信があり、相手電話番号が相手先データベースに記録されていれば蓄積を開始し、通信検知部からの信号に応じて記録媒体の記録内容の再生を開始する技術（特許文献２参照）や、着信信号とオフフック信号を検出して受信中の番組を記録媒体に記録し、通話終了後にユーザが入力部を操作して記録した番組を再生する技術（特許文献３参照）や、電話受信検知信号により蓄積を自動的に開始し、通話切断検知信号により蓄積した内容の再生と、蓄積を並行して行う技術（特許文献４参照）等が開示されている。
【０００９】
【特許文献１】特開２００１−３３３３３４号公報（段落００１０、図１）
【特許文献２】特開２００２−７７３２３号公報（段落００２４，００３２、図２、図４）
【特許文献３】特開２００２−３７４４８９号公報（段落００３０、００３３、図１）
【特許文献４】特開平７−１３０１５０号公報（段落０００６、００１１，００１２、図１）
【発明の開示】
【発明が解決しようとする課題】
【００１０】
これら従来技術は電話の着信等を検出して自動的に放送内容を蓄積するものであるが、場合によってはその放送内容を蓄積する必要がない場合もありうる。
【００１１】
そこで本発明の目的は、通信や情報通知が発生した場合に、視聴者が希望する場合に限り放送内容を蓄積することが可能な放送通信複合端末を提供することにある。
【課題を解決するための手段】
【００１２】
前記課題を解決するために本発明による放送通信複合端末は、放送受信手段および単方向あるいは双方向の通信手段を含む放送通信複合端末であって、前記放送受信手段が受信した放送内容を蓄積するか否かの選択情報が格納される選択情報格納手段と、前記通信手段から通信または情報通知が発生したとの通知を受けた場合、前記選択情報格納手段に格納された選択情報にしたがって前記放送内容を蓄積させ、あるいは蓄積開始位置を保存させる第１の制御手段を含むことを特徴とする。
【００１３】
本発明は放送内容を蓄積するか否かの選択情報が格納される選択情報格納手段を含んでおり、着信等があった場合、その選択情報格納手段に「放送内容を蓄積する」との情報が格納されていた場合に限り放送内容を自動的に蓄積する。
【発明の効果】
【００１４】
本発明は上記構成を有するため、視聴者が希望する場合に限り放送内容を自動的に蓄積することが可能となる。
【発明を実施するための最良の形態】
【００１５】
以下、本発明の実施例について添付図面を参照しながら説明する。まず、第１実施例について説明する。図１は本発明に係る放送通信複合端末の第１実施例の構成図である。同図を参照すると、放送通信複合端末は放送受信手段１と、放送再生手段２と、ディスプレイ３と、スピーカ４と、通信手段５と、第１の制御手段６と、放送蓄積手段７と、第２の制御手段８と、選択情報格納手段１１とを含んで構成される。
【００１６】
図２は本発明に係る放送通信複合端末の第１実施例の動作を示すタイミング図である。次に、この放送通信複合端末の動作について図１および図２を参照しながら説明する。放送受信手段１は放送波を受信して放送内容１００を取得する。放送再生手段２は放送内容１００をデータ処理して動画や音声、あるいは静止画やテキストデータを取り出してディスプレイ３やスピーカ４に出力する。
【００１７】
通信手段５は通信または情報通知が発生すると（一例として電話が着信すると）、着信通知１０１を第１の制御手段６に送る。第１の制御手段６は着信通知１０１を受け取ると、放送再生手段２に対して放送内容の再生停止要求１０２を送り、放送蓄積手段７に対しては蓄積開始要求１０３を送る。放送蓄積手段７は蓄積開始要求１０３を受け取ると、放送内容１００の蓄積を開始する。この時点で、通信手段５は通信内容１０４をディスプレイ３やスピーカ４に出力する。
【００１８】
通信手段５は電話が終話すると、終話通知１０５を第２の制御手段８に送る。第２の制御手段８は終話通知１０５を受けると、放送蓄積手段７に対して参照開始要求１０６を送る。放送蓄積手段７は参照開始要求１０６を受け取り、蓄積した蓄積内容１０７を蓄積を開始した部分から順に出力する。第２の制御手段８は参照開始要求１０６を送るのとほぼ同時に、放送再生手段２に対して蓄積内容１０７を再生するよう蓄積内容再生開始要求１０８を送る。
【００１９】
ここで、第２の制御手段８が蓄積内容１０７を再生させている間も、放送蓄積手段７は放送受信手段１から受け取る放送内容１００の蓄積を継続する。第２の制御手段８は蓄積した蓄積内容１０７を、放送蓄積手段７の出力速度や、放送再生手段２の再生速度を高くすることにより、早送りさせてもよい。また、放送蓄積手段７から出力する蓄積内容１０７に応じて、数秒ないし十数秒スキップさせてもよい。
【００２０】
これらの操作によって、再生している蓄積内容１０７が、放送されている放送内容１００に追いつけば、第２の制御手段８は放送蓄積手段７に対して蓄積停止要求１１０を送り、放送再生手段２に蓄積内容１０７の再生を停止するよう蓄積内容の再生停止要求１１１を送り、放送再生手段２に対して放送内容１００の再生を開始するよう放送内容再生開始要求１１２を送る。
【００２１】
一方、通信手段５からの着信通知１０１がない場合、第１の制御手段６は放送再生手段２に対する再生停止要求１０２および放送蓄積手段７に対する蓄積開始要求１０３のいずれも送らない。したがってこの場合、放送内容の再生が続行され、放送内容の蓄積は行われない。
【００２２】
なお、通信の一例として本実施例で示した電話等の双方向通信が挙げられ、情報通知の一例としてＷＥＢサイトの閲覧、あるいは電子メールの送受信等の単方向あるいは双方向通信が挙げられる。
【００２３】
以上が第１実施例の基本構成および動作であるが、本発明の特徴はこれらの構成に加え選択情報格納手段１１を含むことにある。視聴者はこの選択情報格納手段１１に予め蓄積を希望するか否かの情報を格納しておく。
【００２４】
通信手段５は電話が着信すると、着信通知１０１を第１の制御手段６に送る。第１の制御手段６は着信通知１０１を受け取ると、選択情報格納手段１１を参照して、現在受信中の放送内容１００の蓄積を希望するか否かを調べ、「蓄積する」との情報が格納されていれば放送再生手段２に対して放送内容の再生停止要求１０２を送り、放送蓄積手段７に対しては蓄積開始要求１０３を送る。それ以降は前述したのと同様の動作となる。
【００２５】
一方、選択情報格納手段１１に格納されている情報が「蓄積しない」である場合、第１の制御手段６は放送再生手段２に対して再生停止要求１０２を送るが放送蓄積手段７に対して蓄積開始要求１０３は送らない。したがって、電話が着信しても放送内容の蓄積は行われない。またこの時点で、通信手段５は通信内容１０４をディスプレイ３やスピーカ４に出力する。
【００２６】
なお、放送受信手段１と通信手段５、もしくはこれらに加え放送再生手段２とをそれぞれ独立した装置で構成し、これらが相互の通信により連携するよう構成することも可能である。
【００２７】
すなわち、本発明によれば、視聴者は蓄積の開始などの操作を行うことなく、直ちに通信を始めたり、情報通知の参照を行うことができる。その理由は、選択情報格納手段に格納された選択情報にしたがって視聴者が希望する場合に限り放送内容が自動的に蓄積されるためである。
【００２８】
また、視聴者は再生開始の操作や、提示を中断した箇所をサーチすることなく、放送の提示を中断した箇所から直ちに提示を再開することができる。その理由は、通信や情報通知が終了した時点で、放送蓄積手段が蓄積した放送内容を蓄積を開始した部分から順に出力するためである。
【００２９】
次に、第２実施例について説明する。図３は本発明に係る放送通信複合端末の第２実施例の構成図である。同図を参照すると、第２実施例は、放送蓄積手段７が放送通信複合端末の外部のネットワーク１２０上に設けられ、放送受信手段１３０から送信される放送内容１００が常時蓄積されるとともに、第１実施例において放送蓄積手段７が設けられていた箇所に新たに蓄積開始位置保存手段９が設けられる点が第１実施例と異なる。
【００３０】
また、放送受信手段１３０は放送受信手段１と同じ放送内容１００を受信しているものとする。さらに、放送通信複合端末は通信手段５を用いて放送蓄積手段７にアクセスできるものとする。
【００３１】
放送再生手段２で放送内容１００を再生している時に、通信手段５に電話が着信すると、通信手段５は着信通知１０１を第１の制御手段６に送る。第１の制御手段６は着信通知１０１を受け取ると、選択情報格納手段１１を参照して、現在受信中の放送内容１００の蓄積を希望するか否かを調べ、「蓄積する」との情報が格納されていれば、放送再生手段２に対して放送内容の再生停止要求１０２を送って再生を停止させ、現在の時刻１１６を蓄積開始位置保存手段９に格納する。
【００３２】
通信手段５は通話を開始する。通信手段５が通話を終了すると、終話通知１０５を第２の制御手段８に送る。第２の制御手段８は蓄積開始位置保存手段９から蓄積開始位置１１５を読み出し、ネットワーク１２０上にある放送蓄積手段７に対して、蓄積開始位置１１５からの蓄積内容１０７の送出を要求する参照開始要求１０６を送信する。通信手段５は放送蓄積手段７から蓄積内容１０７を受け取り、放送再生手段２に送る。放送再生手段２は蓄積内容１０７を処理して映像や音声あるいは静止画やテキストを取り出してディスプレイ４やスピーカ５に出力する。
【００３３】
一方、選択情報格納手段１１に格納されている情報が「蓄積しない」である場合、第１の制御手段６は放送再生手段２に対して再生停止要求１０２を送るが、現在の時刻１１６を蓄積開始位置保存手段９に格納する処理は行わない。
【００３４】
したがって、電話が終了しても、通信手段５が放送蓄積手段７から蓄積内容１０７を受け取り、放送再生手段２に送るという処理は行われない。
【００３５】
本実施例では、放送蓄積手段７は放送内容を常に蓄積し続けているので、第１実施例にある早送り再生やスキップ再生によって、蓄積内容１０７が放送内容１００に追いついても、第２の制御手段８は放送蓄積手段７に対して蓄積の中止を要求する必要はない。
【００３６】
通話が終了した時に再生する可能性が低い場合や、再生するとしても一部だけをスキップ再生すれば済む場合は、この実施例の方が端末の消費電力を抑えることができる。ただし、蓄積内容１０７を通信で取得するため、通信が従量制で課金される場合は費用が発生する。
【００３７】
本発明によれば、端末側での蓄積を不要とし、これにより端末の消費電力やメモリ消費の負荷を軽減することができ、かつ受信状態の悪化により蓄積できないというトラブルを防ぐことができる。その理由は、放送の蓄積を外部の放送蓄積手段で常時行い、その蓄積情報の取得が可能となるためである。
【００３８】
次に、第３実施例について説明する。図４は本発明に係る放送通信複合端末の第３実施例の構成図である。同図を参照すると、第３実施例は第１実施例の選択情報格納手段１１を自動蓄積設定レジスタ１０に置換したものである。その他の構成部分は第１実施例と同様なので、それらの説明は省略する。
【００３９】
視聴者は自動蓄積設定レジスタ１０に対して、通話中に放送を蓄積するか否かの設定値１１３を予め登録しておく。
【００４０】
第１の制御手段６は通信手段から着信通知１０１を受け取ると、放送再生手段２に対して放送内容の再生停止要求１０２を送る。次に第１の制御手段６は、自動蓄積設定レジスタ１０から設定値１１３を参照し、蓄積する設定になっている場合は、放送蓄積手段７に対して蓄積開始要求１０３を送り、放送内容１００の蓄積を開始させる。これ以降の動作は第１実施例と同様なので説明を省略する。
【００４１】
一方、自動蓄積設定レジスタ１０が蓄積する設定になっていない場合、第１の制御手段６は放送蓄積手段７に対して蓄積開始要求１０３を送り、放送内容１００の蓄積を開始させるという処理は行われない。
【００４２】
本発明では放送内容を蓄積するか否かの選択情報を、自動蓄積設定レジスタ１０に設定値１１３として設定する点が第１実施例と異なる。選択情報の具体例を示したのが本実施例である。したがって、本発明による効果は第１実施例と同様である。
【００４３】
次に、第４実施例について説明する。図５は本発明に係る放送通信複合端末の第４実施例の構成図である。同図を参照すると、第１実施例との相違点は、第１実施例で設けられていた選択情報格納手段１１が削除され、第１の制御手段６からディスプレイ３に対し信号線１１４（蓄積開始の選択メニュー）が追加されたことであり、それ以外の構成は第１実施例と同様である。
【００４４】
第１の制御手段６は通信手段５から着信通知１０１を受け取ると、ディスプレイ３に蓄積開始の選択メニュー１１４を表示する。選択メニュー１１４は図示しないが、たとえばディスプレイ３上に「蓄積する」と「蓄積しない」を表わすボタンを表示したものである。視聴者が「蓄積する」のボタンを選択すると、第１の制御手段６は放送蓄積手段７に対して蓄積開始要求１０３を送り、放送内容１００の蓄積を開始させる。
【００４５】
一方、視聴者が「蓄積しない」のボタンを選択すると、第１の制御手段６は放送蓄積手段７に対して蓄積開始要求１０３を送り、放送内容１００の蓄積を開始させるという処理は行われない。
【００４６】
本発明によれば、選択情報格納手段１１の代わりに動画や音声あるいは静止画やテキストデータ表示用の既存のディスプレイ３を選択メニュー表示用として用いるため、選択情報格納手段１１が不要となる。したがって、コストの低減と装置の小型化が可能となる。
【００４７】
次に、第５実施例について説明する。図６は本発明に係る放送通信複合端末の第５実施例の構成図である。同図を参照すると、第５実施例は、第４実施例（図５参照）に第３実施例( 図４参照) の自動蓄積設定レジスタ１０を追加したものである。
【００４８】
この実施例は、通信手段５から着信通知１０１が第１の制御手段６に届いた時の動作として、第１の制御手段６は自動蓄積設定レジスタ１０の設定値が蓄積する設定になっていれば、蓄積開始要求１０３を放送蓄積手段７に送り、蓄積する設定になっていなければ、ディスプレイ３上に蓄積開始の選択メニュー１１４を表示する。そして、「蓄積する」のボタンが選択された場合に第１の制御手段６は放送蓄積手段７に対して蓄積開始要求１０３を送る。
【００４９】
本発明によれば、選択情報を表示するものとして、自動蓄積設定レジスタ１０と選択メニュー１１４の両者を有するため、自動蓄積設定レジスタ１０に「 蓄積する」 の設定値１１３が設定されていない場合でも、選択メニュー１１４により「 蓄積する」 に設定を変更することが可能となる。
【００５０】
なお、第３〜第５実施例において、蓄積する設定になっていない場合でも、第２実施例にあるネットワーク１２０上の放送蓄積手段７が利用できる場合は、蓄積開始位置保存手段９で蓄積開始の位置を保存しておけば、通信料金は発生するものの、通話時間中の蓄積内容１０７を視聴することができる。
【図面の簡単な説明】
【００５１】
【図１】本発明に係る放送通信複合端末の第１実施例の構成図である。
【図２】本発明に係る放送通信複合端末の第１実施例の動作を示すタイミング図である。
【図３】本発明に係る放送通信複合端末の第２実施例の構成図である。
【図４】本発明に係る放送通信複合端末の第３実施例の構成図である。
【図５】本発明に係る放送通信複合端末の第４実施例の構成図である。
【図６】本発明に係る放送通信複合端末の第５実施例の構成図である。
【符号の説明】
【００５２】
１，１３０  放送受信手段
２  放送再生手段
３  ディスプレイ
４  スピーカ
５  通信手段
６  第１の制御手段
７  放送蓄積手段
８  第２の制御手段
９  蓄積開始位置保存手段
１０  自動蓄積設定レジスタ
１１  選択情報格納手段
１２０  ネットワーク
【図１】
2008086025.tif 000003
【図２】
2008086025.tif 000004
【図３】
2008086025.tif 000005
【図４】
2008086025.tif 000006
【図５】
2008086025.tif 000007
【図６】
2008086025.tif 000008